(57)【要約】【課題】一定の関係を有する複数の情報所有者の情報をその関係に基づいて辿っていく。【解決手段】複数の情報所有者の主従関係を保持する保存部２と、複数の情報所持者毎に、その情報保持者の情報を更新可能としたものに、保存部２にてその情報所持者の主となる情報所持者の情報を更新不可能としたものを付加した提供情報を生成し、生成した提供情報を複数の情報所持者毎に保存部２に保存し、その後、保存部２に保存された提供情報について第１の情報保持者の情報が更新された場合、第１の情報保持者の情報が更新された提供情報を第１の情報保持者の提供情報として保存部２に保存するする生成部３とを有する。【選択図】図１
2013125395.tif 000002
【特許請求の範囲】
【請求項１】
複数の情報所有者の主従関係を保持する保存手段と、
前記複数の情報所持者毎に、当該情報保持者となる第１の情報保持者の情報を更新可能としたものに、前記保存手段にて前記第１の情報所持者の主となる第２の情報所持者の情報を更新不可能としたものを付加した提供情報を生成し、該提供情報を前記複数の情報所持者毎に前記保存手段に保存し、その後、前記保存手段に保存された提供情報について前記第１の情報保持者の情報が更新された場合、該第１の情報保持者の情報が更新された提供情報を前記第１の情報保持者の提供情報として前記保存手段に保存する生成手段とを有する情報処理装置。
【請求項２】
請求項１に記載の情報処理装置において、
前記生成手段は、前記提供情報として、前記複数の情報所持者毎の情報画面を生成する情報処理装置。
【請求項３】
請求項２に記載の情報処理装置において、
前記生成手段は、前記情報画面に、前記第１の情報保持者の情報を更新可能に掲載するとともに、前記第２の情報所持者の情報を更新不可能に掲載する情報処理装置。
【請求項４】
請求項２または請求項３に記載の情報処理装置において、
前記生成手段は、前記情報画面に、前記第１の情報保持者の情報を更新可能に掲載するとともに、前記第２の情報所持者の情報が掲載された情報画面へのリンクを設ける情報処理装置。
【請求項５】
請求項１乃至４のいずれか１項に記載の情報処理装置において、
前記保存手段は、前記複数の情報所有者の主従関係を変更可能に保持し、
前記生成手段は、前記保存手段にて保持された前記主従関係が変更された場合、変更された主従関係に基づいて前記提供情報を生成する情報処理装置。
【請求項６】
請求項１乃至５のいずれか１項の情報処理装置において、
前記複数の情報所有者に予め付与された識別情報を用いて前記提供情報へのアクセスを制限するアクセス制限手段を有する情報処理装置。
【請求項７】
複数の情報所有者の主従関係を保持しておく処理と、
前記複数の情報所持者毎に、当該情報保持者となる第１の情報保持者の情報を更新可能としたものに、前記保持された主従関係において前記第１の情報所持者の主となる第２の情報所持者の情報を更新不可能としたものを付加した提供情報を生成する処理と、
前記生成した提供情報を前記複数の情報所持者毎に保存する処理と、
前記保存された提供情報について前記第１の情報保持者の情報が更新された場合、該第１の情報保持者の情報が更新された提供情報を前記第１の情報保持者の提供情報として保存する処理とを有する情報処理方法。
【請求項８】
コンピュータに、
複数の情報所有者の主従関係を保持しておく手順と、
前記複数の情報所持者毎に、当該情報保持者となる第１の情報保持者の情報を更新可能としたものに、前記保持された主従関係において前記第１の情報所持者の主となる第２の情報所持者の情報を更新不可能としたものを付加した提供情報を生成する手順と、
前記生成した提供情報を前記複数の情報所持者毎に保存する手順と、
前記保存された提供情報について前記第１の情報保持者の情報が更新された場合、該第１の情報保持者の情報が更新された提供情報を前記第１の情報保持者の提供情報として保存する手順とを実行させるためのプログラム。
【発明の詳細な説明】
【技術分野】
【０００１】
本発明は、複数の情報所有者の情報を処理する情報処理装置に関し、特に、複数の情報所有者の主従関係に基づいた情報処理技術に関する。
【背景技術】
【０００２】
一般に、何百年も前の自分の先祖がどういう人で、どんなことをしていて、日々どんなことを考え未来にどんなことを期待していたのか等を知るのは困難である。もしこのようなことの記録を残すことができれば、人同士の直接のつながりが薄れている現代において、過去からの記録が生きた証となり、また、今を生きる人への励ましや生き甲斐へとつながる可能性がある。また、昨今の大震災を鑑みても、不慮の事故に対する備えとしては、お金を保障する保険だけでは不十分であり、こういった日々の記録やメッセージ等を引き継いで遺していけるような仕組みがあれば、それが何らかの役にたつ可能性がある。
【０００３】
ところで、近年においては、インターネット技術や画像のデジタル化（データ化）技術等が発達しているため、将来に対して先祖の日々の記録を継続的に残していく環境を構築することが可能となっている。ところが、インターネットを利用した現在のネットワークサービスでは、例えばサービスの契約者本人が死亡してサービスの解約に至った場合には、その契約者が残した記録データは削除されるのが一般的である。
【０００４】
ここで、契約者が記録情報を保存しておき、その後、契約者による記録情報の逐次閲覧や改変を可能とし、また、記録情報を特定者へ提供や公開を可能とするといったネットワークサービスの形態が、例えば特許文献１に開示されている。
【先行技術文献】
【特許文献】
【０００５】
【特許文献１】特開２００２−１９７２８７号公報
【発明の概要】
【発明が解決しようとする課題】
【０００６】
しかしながら、特許文献１に開示されたような技術においても、契約者の記録情報を、契約者によって閲覧及び改変可能、かつ特定者に提供、公開可能に保存しておくだけのものであるため、例えば直系の親族間にて記録情報を永久的に引き継いでいくというように、一定の関係を有する複数の情報所有者の情報をその関係に基づいて辿っていくことはできないという問題点がある。
【０００７】
本発明は、上述したような技術が有する問題点に鑑みてなされたものであって、一定の関係を有する複数の情報所有者の情報をその関係に基づいて辿っていくことができる情報処理装置、情報処理方法及びプログラムを提供することを目的とする。
【課題を解決するための手段】
【０００８】
上記目的を達成するために本発明は、
複数の情報所有者の主従関係を保持する保存手段と、
前記複数の情報所持者毎に、当該情報保持者となる第１の情報保持者の情報を更新可能としたものに、前記保存手段にて前記第１の情報所持者の主となる第２の情報所持者の情報を更新不可能としたものを付加した提供情報を生成し、該提供情報を前記複数の情報所持者毎に前記保存手段に保存し、その後、前記保存手段に保存された提供情報について前記第１の情報保持者の情報が更新された場合、該第１の情報保持者の情報が更新された提供情報を前記第１の情報保持者の提供情報として前記保存手段に保存する生成手段とを有する。
【０００９】
また、複数の情報所有者の主従関係を保持しておく処理と、
前記複数の情報所持者毎に、当該情報保持者となる第１の情報保持者の情報を更新可能としたものに、前記保持された主従関係において前記第１の情報所持者の主となる第２の情報所持者の情報を更新不可能としたものを付加した提供情報を生成する処理と、
前記生成した提供情報を前記複数の情報所持者毎に保存する処理と、
前記保存された提供情報について前記第１の情報保持者の情報が更新された場合、該第１の情報保持者の情報が更新された提供情報を前記第１の情報保持者の提供情報として保存する処理とを有する。
【００１０】
また、コンピュータに、
複数の情報所有者の主従関係を保持しておく手順と、
前記複数の情報所持者毎に、当該情報保持者となる第１の情報保持者の情報を更新可能としたものに、前記保持された主従関係において前記第１の情報所持者の主となる第２の情報所持者の情報を更新不可能としたものを付加した提供情報を生成する手順と、
前記生成した提供情報を前記複数の情報所持者毎に保存する手順と、
前記保存された提供情報について前記第１の情報保持者の情報が更新された場合、該第１の情報保持者の情報が更新された提供情報を前記第１の情報保持者の提供情報として保存する手順とを実行させる。
【発明の効果】
【００１１】
本発明は、以上説明したように構成されているので、生成された提供情報を用いて、一定の関係を有する複数の情報所有者の情報をその関係に基づいて辿っていくことができる。
【図面の簡単な説明】
【００１２】
【図１】本発明の情報処理装置の概要を示すブロック図である。
【図２】図１に示した情報処理装置の実施の一形態を用いたサービスネットワークの構成を示す図である。
【図３】図２に示したサービスネットワークにおける全体の処理の流れを説明するための図である。
【図４】図３に示した契約者がサービス提供者と契約する際のサービス提供者サーバにおける処理を説明するためのフローチャートである。
【図５】図２に示した血縁関係登録／変更部にて血縁関係データベースに保存される血縁関係を示す図であり、（ａ）は契約者の血縁関係が保存される際の情報を示す図、（ｂ）は血縁関係データベースの構成を示す図である。
【図６】ＩＤが発行されている契約者がサービス提供者と契約する際のサービス提供者サーバにおける処理を説明するためのフローチャートである。
【図７】血族関係の一例を示す図である。
【図８】図７に示した血族関係にて生成される個人ページのうち親以降の世代の個人ページを示す図である。
【図９】情報画面提供部にて生成された個人ページが閲覧された後にその個人ページを個人ページデータベースに保存する際のサービス提供者サーバにおける処理を説明するためのフローチャートである。
【図１０】図７に示した血族関係にて生成される個人ページのうち親以降の世代の個人ページの他の例を示す図である。
【図１１】血縁関係データベースに保存された情報の変更処理を説明するための図である。
【発明を実施するための形態】
【００１３】
以下に、本発明の実施の形態について図面を参照して説明する。
【００１４】
図１は、本発明の情報処理装置の概要を示すブロック図である。
【００１５】
本発明の情報処理装置は図１に示すように、保存手段となる保存部２と、生成手段となる生成部２とから構成されている。
【００１６】
上記のように構成された情報処理装置１においては、保存部２において複数の情報所有者の主従関係を保持しておき、生成部３が、複数の情報所持者毎に、当該情報保持者となる第１の情報保持者の情報を更新可能としたものに、保存部２にて第１の情報所持者の主となる第２の情報所持者の情報を更新不可能としたものを付加した提供情報を生成する。そして、生成部３は、生成した提供情報を複数の情報所持者毎に保存部２に保存し、その後、保存部２に保存された提供情報について第１の情報保持者の情報が更新された場合、その第１の情報保持者の情報が更新された提供情報を第１の情報保持者の提供情報として保存部２に再度保存する。
【００１７】
以下に、上述した情報処理装置１について具体的な例を挙げて説明する。
【００１８】
図２は、図１に示した情報処理装置１の実施の一形態を用いたサービスネットワークの構成を示す図である。
【００１９】
図１に示した情報処置装置１は、例えば、図２に示すように、インターネット５０に接続されたサービス提供者サーバ１０として利用される。このサービス提供者サーバ１０は、インターネット５０に接続された契約者のパーソナルコンピュータ２０ａ，２０ｂや、契約者の携帯電話機３０ａ，３０ｂからアクセスが可能となっている。サービス提供者サーバ１０は、このサービスネットワークのサービス提供者が有するものであるが、サービス提供者としては、専門のサービス会社以外にもインターネットサービスプロバイダや携帯電話事業者あるいは保険会社が特約の１つとして提供すること等も想定される。なお、携帯電話機３０ａ，３０ｂは、携帯電話基地局４０を介して携帯電話網６０に接続され、そこからゲートウェイサーバ７０を介してインターネット５０に接続されることになる。
【００２０】
サービス提供者サーバ１０は、図１に示した保存部２に対応する保存部１２と、図１に示した生成部３に対応する情報画面提供部１３と、アクセス制限手段となるアクセス制限部１４とを有している。
【００２１】
保存部１２は、血縁関係登録／変更部１２ａと、血縁関係データベース１２ｂと、個人ページデータベース１２ｃとを有している。血縁関係登録／変更部１２ａは、情報所有者となる契約者の主従関係となる血縁関係を血縁関係データベース１２ｂにＩＤと対応づけて保存し、また、血縁関係データベース１２ｂに保存された血縁関係を変更する。血縁関係データベース１２ｂには、契約者の血縁関係がＩＤと対応づけて保存されている。これにより、保存部１２は、情報所有者となる契約者の主従関係となる血縁関係を保持している。個人ページデータベース１２ｃには、情報画面提供部１３にて生成された契約者の個人ページが保存されている。ここで、これら血縁関係データベース１２ｂ及び個人ページデータベース１２ｃに保存された情報については、暗号化や認証等によるアクセス制限等のセキュリティ対策、並びに、必要に応じてデータ圧縮等による保存容量削減の対策が施されている。なお、本形態における血縁関係においては、血縁関係にて祖先を主として子孫を従として主従関係を形成する。
【００２２】
情報画面提供部１３は、契約者毎の情報画面となる個人ページを生成するものであり、第１の情報所有者となる契約者の情報を更新可能に掲載するとともに、血縁関係データベース１２ｂにてこの契約者と血縁関係であって祖先にあたる者（本発明における第２の情報所有者）の個人ページを個人ページデータベース１２ｃからコピーしてきてこれを更新不可能に掲載した契約者の個人ページを生成する。また、生成した個人ページを契約者毎に個人ページデータベース１２ｃに保存し、その後、個人データベース１２ｃに保存された個人ページに掲載された情報が追加、編集、削除等で更新された場合、この情報が更新された個人ページをその契約者の個人ページとして個人ページデータベース１２ｃに保存する。
【００２３】
アクセス制限部１４は、契約者のそれぞれに予め付与された識別情報となるＩＤを用いて、情報画面提供部１３にて生成されて個人ページデータベース１２ｃに保存された個人ページへのアクセスを制限する。また、アクセス制限部１４は、必要に応じ、個人ページデータベース１２ｃに登録された個人データのうち、携帯電話機３０ａ，３０ｂからアクセスできる情報を制限する。
【００２４】
以下に、上記のように構成されたサービスネットワークにおける情報処理方法について説明する。
【００２５】
まず、契約も含めた全体の処理の流れについて説明する。
【００２６】
図３は、図２に示したサービスネットワークにおける全体の処理の流れを説明するための図である。
【００２７】
図３に示すように、図２に示したサービスネットワークによるサービスを利用する契約者１０２がサービス提供者１０１と契約すると（(1)）、サービス提供者１０１は、契約者１０２に対してＩＤを発行するとともに、契約者１０２の個人ページを生成する（(2)）。その際、契約者１０２が、契約者１０２の子である契約者１０３に契約者１０２の個人ページを継承させることを希望する場合は、サービス提供者１０１は、契約者１０２の子となる契約者１０３に対しても契約者１０３用のＩＤを発行する。そして、サービス提供者１０１は、契約者１０２と契約者１０３とを、それぞれのＩＤを対応づけることによって、契約者１０３が契約者１０２の子となる血縁関係である旨を登録する。なお、契約者１０２の子は、ここではまだサービス提供者１０１と契約していないが、後にサービス提供者１０１と契約するため、この段階から契約者と称することにする。
【００２８】
その後、契約者１０３が、図２に示したサービスネットワークによるサービスを利用するためにサービス提供者１０１と契約する（名義変更／継承も含む）際に、サービス提供者１０１から発行された契約者１０３用のＩＤを提示すると（(3)）、サービス提供者１０１は、契約者１０３が提示したＩＤに対応づけられたＩＤによって、契約者１０３の親として血縁関係である旨が登録された契約者１０２の個人ページのコピーを含んだ契約者１０３の個人ページを生成する（(4)）。この契約者１０３の個人ページにおいては、契約者１０２の個人ページの部分に契約者１０２の情報が掲載されているが、この情報は追加、編集、削除等の更新が不可能に設定されており、また、契約者１０３の情報が掲載される部分については、追加、編集、削除等の更新が可能に設定されている。
【００２９】
次に、図２に示したサービス提供者サーバ１０における処理について説明する。
【００３０】
まず、契約者１０２がサービス提供者１０１と契約する際のサービス提供者サーバ１０における処理について説明する。
【００３１】
図４は、図３に示した契約者１０２がサービス提供者１０１と契約する際のサービス提供者サーバ１０における処理を説明するためのフローチャートである。
【００３２】
図２に示したサービスネットワークによるサービスを利用する契約者１０２がサービス提供者１０１と契約する際、上述したように、契約者１０２が、契約者１０２の子である契約者１０３に契約者１０２の個人ページを継承させることを希望するために、例えば、戸籍謄本等を提示して契約者１０２の継承対象として契約者１０３を指定すると、血縁関係登録／変更部１２ａは、契約者１０２，１０３の血縁関係を、契約者１０３が契約者１０２の子として血縁関係データベース１２ｂに登録するとともに（ステップ１）、これら契約者１０２，１０３のそれぞれに対してＩＤを発行し、このＩＤも血縁関係データベース１２ｂに登録する（ステップ２）。
【００３３】
図５は、図２に示した血縁関係登録／変更部１２ａにて血縁関係データベース１２ｂに保存される血縁関係を示す図であり、（ａ）は契約者１０２，１０３の血縁関係が保存される際の情報を示す図、（ｂ）は血縁関係データベース１２ｂの構成を示す図である。
【００３４】
図５（ａ）に示すように、血縁関係登録／変更部１２ａは、契約者１０２と契約者１０３の血縁関係を、契約者１０２が親、契約者１０３がその子としてこれら契約者１０２，１０３に発行したＩＤに対応づけて血縁関係データベース１２ｂに保存する。
【００３５】
このようにサービス提供者１０１と契約する契約者が、その契約者の継承対象と指定する度毎に、血縁関係がその血縁関係を有する契約者毎に発行されたＩＤと対応づけられていくことにより、図５（ｂ）に示すように、血縁関係データベース１２ｂには、血縁関係を有する直系の親族の継承関係がそのＩＤと対応づけて保存されていくことになる。
【００３６】
その後、情報画面提供部１３は、契約者１０２の個人ページを生成し、生成した個人ページを個人ページデータベース１２ｃに契約者１０２のＩＤと対応づけて登録する（ステップ３）。
【００３７】
次に、契約者１０２がサービス提供者１０１と契約した際に発行された契約者１０３用のＩＤを用いて契約者１０３がサービス提供者１０１と契約する際のサービス提供者サーバ１０における処理について説明する。
【００３８】
図６は、ＩＤが発行されている契約者１０３がサービス提供者１０１と契約する際のサービス提供者サーバ１０における処理を説明するためのフローチャートである。
【００３９】
契約者１０２の子となる契約者１０３が、図２に示したサービスネットワークによるサービスを利用するためにサービス提供者１０１と契約する（名義変更／継承も含む）際に、サービス提供者１０１から発行された契約者１０３用のＩＤを提示すると、まず、情報画面提供部１３が、血縁関係データベース１２ｂを参照し、血縁関係において提示されたＩＤによりも前の世代として対応づけられたＩＤが保存されているかどうかを確認する（ステップ１１）。
【００４０】
そして、血縁関係において契約者１０３が提示したＩＤよりも前の世代として対応づけられたＩＤが血縁関係データベース１２ｂに保存されている場合は（ステップ１２）、情報画面提供部１３は、その対応づけられたＩＤを認識し、個人ページデータベース１２ｃに保存された個人ページの中から、認識したＩＤに対応づけられた個人ページをコピーしてきて、この個人ページを更新不可能に掲載するとともに、契約者１０３の情報を更新可能に掲載する契約者１０３の個人ページを生成し、生成した個人ページを契約者１０３のＩＤと対応づけて個人ページデータベース１２ｃに保存する（ステップ１３）。
【００４１】
一方、血縁関係において契約者１０３が提示したＩＤよりも前の世代として対応づけられたＩＤが血縁関係データベース１２ｂに保存されていない場合は、情報画面提供部１３は、契約者１０３の情報のみを更新可能に掲載する個人ページを生成し、生成した個人ページを契約者１０３のＩＤと対応づけて個人ページデータベース１２ｃに保存する（ステップ１４）。
【００４２】
ここで、ステップ１３にて生成される個人ページについて詳細に説明する。
【００４３】
図７は、血族関係の一例を示す図であり、図８は、図７に示した血族関係にて生成される個人ページのうち親以降の世代の個人ページの一例を示す図である。
【００４４】
図７に示すように、本例においては、曽祖父母、祖父母、親、子１、子２、子１の子となる孫１及び孫２、子２の子となる孫３がサービス提供者１０１と契約しており、この血族関係が血族関係データベース１２ｂに登録されているものとする。
【００４５】
この場合、図８に示すように、情報画面提供部１３にて生成された親の個人ページは、祖父母の個人ページが編集等の更新が不可能として掲載されるとともに、親の情報が編集等の更新が可能に構成されている。また、情報画面提供部１３にて生成された子１の個人ページは、親の個人ページが編集等の更新が不可能として掲載されるとともに、子１の情報が編集等の更新が可能に構成されている。また、情報画面提供部１３にて生成された子２の個人ページは、親の個人ページが編集等の更新が不可能として掲載されるとともに、子２の情報が編集等の更新が可能に構成されている。また、情報画面提供部１３にて生成された孫１の個人ページは、その親となる子１の個人ページが編集等の更新が不可能として掲載されるとともに、孫１の情報が編集等の更新が可能に構成されている。また、情報画面提供部１３にて生成された孫２の個人ページは、その親となる子１の個人ページが編集等の更新が不可能として掲載されるとともに、孫２の情報が編集等の更新が可能に構成されている。また、情報画面提供部１３にて生成された孫３の個人ページは、その親となる子２の個人ページが編集等の更新が不可能として掲載されるとともに、孫３の情報が編集等の更新が可能に構成されている。
【００４６】
なお、更新が不可能に掲載される個人ページの契約者（例えば、ここでは図７に示した祖父母とする）の契約が解約されて一定期間経過した後や、祖父母が死亡した場合においては、祖父母の個人ページが更新されることはないため、祖父母のオリジナルの個人ページデータを個人ページデータベース１２ｃから削除し、孫１〜３の個人ページを生成する際、祖父母の個人ページが更新不可能に掲載されている親や子１、子２の個人ページから祖父母の個人ページをコピーしてくる構成としてもよい。
【００４７】
このように、サービス提供者１０１と契約した契約者の個人ページに、血縁関係においてその契約者の前の世代となる契約者の個人ページが掲載されることにより、例えば、個人が非公開で作成した日記やブログのような記録データを親族等に永久的に引き継いでいくことができ、その子孫が一族の日常的な歴史を容易に辿ることができるようになる。こういった環境が身近になれば、先祖は子孫に対して生きた証やメッセージを残すことができ、それを閲覧した子孫は、生きるヒントや生き甲斐、自分がなすべき事等を見出すことができるといった可能性もある。
【００４８】
次に、情報画面提供部１３にて生成された個人ページが閲覧された後にその個人ページを個人ページデータベース１２ｃに保存する際のサービス提供者サーバ１０における処理について説明する。
【００４９】
図９は、情報画面提供部１３にて生成された個人ページが閲覧された後にその個人ページを個人ページデータベース１２ｃに保存する際のサービス提供者サーバ１０における処理を説明するためのフローチャートである。
【００５０】
情報画面提供部１３は、パーソナルコンピュータ２０ａ，２０ｂや携帯電話機３０ａ，３０ｂからのアクセスに応じて、ステップ１３，１４にて生成して個人ページデータベース１２ｃに保存した個人ページを提供する（ステップ２１）。ここで、パーソナルコンピュータ２０ａ，２０ｂや携帯電話機３０ａ，３０ｂからのアクセスは、サービス提供者１０１との契約時に発行されたＩＤを用いて行われる。そのため、パーソナルコンピュータ２０ａ，２０ｂや携帯電話機３０ａ，３０ｂからアクセスがあった場合は、まず、アクセス制限部１４において、個人ページデータベース１２ｃに保存されている個人ページに対応づけられたＩＤに、指定されたＩＤと合致するものがあるかどうかを確認するアクセス制限を実行し、個人ページデータベース１２ｃに保存されている個人ページに対応づけられたＩＤに、指定されたＩＤと合致するものがある場合に、情報画面提供部１３が、個人ページデータベース１２ｃに保存されている個人ページの中からそのＩＤに対応づけられた個人ページを抽出し、アクセスがあったパーソナルコンピュータ２０ａ，２０ｂや携帯電話機３０ａ，３０ｂに提供することになる。
【００５１】
その後、個人ページの提供先となるパーソナルコンピュータ２０ａ，２０ｂや携帯電話機３０ａ，３０ｂから個人ページの閲覧終了の指示があると（ステップ２２）、情報画面提供部１３は、個人ページが、その個人ページの更新可能な部分についての追加、編集、削除等によって更新されているかどうかを確認する（ステップ２３）。これは、例えば、個人ページデータベース１２ｃに保存されている個人ページや、パーソナルコンピュータ２０ａ，２０ｂや携帯電話機３０ａ，３０ｂに提供した時点での個人ページと、パーソナルコンピュータ２０ａ，２０ｂや携帯電話機３０ａ，３０ｂにて閲覧等の操作が行われた個人ページとを比較すること等によって行う。
【００５２】
そして、個人ページが更新されている場合、情報画面提供部１３は、更新された個人ページをその契約者の個人ページとして個人ページデータベース１２ｃに更新保存する（ステップ２４）。
【００５３】
また、個人ページが更新されていない場合は、情報画面提供部１３は個人ページを更新しない（ステップ２５）。
【００５４】
なお、このステップ２４，２５の処理は、情報画面提供部１３が、個人ページデータベース１２ｃに保存された個人ページに、パーソナルコンピュータ２０ａ，２０ｂや携帯電話機３０ａ，３０ｂにて閲覧等の操作が行われた個人ページを上書きしていく構成であってもよい。
【００５５】
また、上述した一連の処理にて用いられたＩＤは、その後、契約者１０２，１０３がサービス提供者１０１に指示することで任意に変更することができる。その場合、血縁関係データベース１２ｂや個人ページデータベース１２ｃに保存されたＩＤも変更されることになる。
【００５６】
上述したようなサービスを行うサービス提供者が、インターネットサービスプロバイダや携帯電話事業者等で主たるサービスを他に行っている場合には、主たるサービスの競合他社との差別化になり、また、永久的に一族を契約者として囲い込むことや事業の存続も期待することができる。
【００５７】
（他の実施の形態）
上述した実施の形態においては、契約者の個人ページに、血縁関係においてその契約者の前の世代の者の個人ページをコピーしてきて更新不可能に掲載しているが、情報画面部提供部１３において、契約者の個人ページに、血縁関係においてその契約者の前の世代の者の個人ページへのリンクを設けるようにしてもよい。
【００５８】
図１０は、図７に示した血族関係にて生成される個人ページのうち親以降の世代の個人ページの他の例を示す図である。
【００５９】
図１０に示すように、本形態においては、情報画面提供部１３にて生成された親の個人ページは、曽父母及び祖父母の個人ページへのリンクが設けられているとともに、親の情報が編集等の更新が可能に構成されている。また、情報画面提供部１３にて生成された子１の個人ページは、曽父母、祖父母及び親の個人ページへのリンクが設けられているとともに、子１の情報が編集等の更新が可能に構成されている。また、情報画面提供部１３にて生成された子２の個人ページは、曽父母、祖父母及び親の個人ページへのリンクが設けられているとともに、子２の情報が編集等の更新が可能に構成されている。また、情報画面提供部１３にて生成された孫１の個人ページは、曽父母、祖父母、親、並びに孫１の親となる子１の個人ページへのリンクが設けられているとともに、孫１の情報が編集等の更新が可能に構成されている。また、情報画面提供部１３にて生成された孫２の個人ページは、曽父母、祖父母、親、並びに孫２の親となる子１の個人ページへのリンクが設けられているとともに、孫２の情報が編集等の更新が可能に構成されている。また、情報画面提供部１３にて生成された孫３の個人ページは、曽父母、祖父母、親、並びに孫３の親となる子２の個人ページへのリンクが設けられているとともに、孫３の情報が編集等の更新が可能に構成されている。
【００６０】
この場合、通常は、契約者の前の世代の者の個人ページに対して、閲覧及び編集が可能となるフルアクセスをするためには、その前の世代の者のＩＤが必要であるが、引き継ぎ先となる後の世代の者のＩＤにて認証が確立した状態では、リンクからのアクセスによって後の世代の者が前の世代の者の個人ページを更新不可能として閲覧のみ可能となるようにデータ管理する。
【００６１】
なお、本形態においては、契約者の個人ページに先祖代々の個人ページのリンクを設けているが、前の世代の者の個人ページにはその前の世代の個人ページへのリンクが設けられているため、最低限、１つ前の世代の者の個人ページへのリンクを設けるだけでも良い。
【００６２】
本形態においては、個人ページのそれぞれに、その前の世代の者の個人ページが掲載されているのではないため、後の世代の者の個人ページに掲載される個人ページの実体が１つで済み、それにより、図８に示したような構成に比べて個人ページデータベース１２ｃにて保存されるデータ量を削減することができる。また、引き継ぎ元となる前の世代の者が生存していて個人ページの更新が続いている状況でも引き継ぎを行うことができる。なお、個人ページの契約者の契約が解約されて一定期間経過しても、その個人ページへのリンクを設ける個人ページを生成する契約者が一人も現れなかった場合には、解約された契約者の個人ページのデータを削除するようにしてもよい。
【００６３】
上述したような血縁関係は、婚姻、出産、養子等で変更される場合がある。その場合、血縁関係登録／変更部１２ａにおいて、血縁関係データベース１２ｂに保存された情報を変更することも可能である。
【００６４】
図１１は、血縁関係データベース１２ｂに保存された情報の変更処理を説明するための図である。
【００６５】
図５（ｂ）に示した情報が血縁関係データベース１２ｂに保存されている状態から、第４世代の“Ａ００Ｂ００１”をＩＤとする契約者（親Ａと称する）に子供が産まれ、親Ａがこの子供を継承対象として指定した場合、図１１（ａ）に示すように、その子供にＩＤ“Ａ１２０Ａ００”が発行され、血縁関係登録／変更部１２ａにおいて、親Ａの他の子供とともに、第５世代としてそのＩＤ“Ａ１２０Ａ００”を保存することになる。
【００６６】
また、図５（ｂ）に示した情報が血縁関係データベース１２ｂに保存されている状態において、第３世代の“ＡＡ１０ＡＡＡ”をＩＤとする契約者が第４世代の“Ａ００Ｂ００１”，“Ａ１Ｂ１２１２”をそれぞれＩＤとする子の一人親である場合、第３世代の“ＡＡ１０ＡＡＡ”をＩＤとする契約者が再婚し、その再婚相手を第３世代として新たに血縁関係として登録したい場合は、図１１（ｂ）に示すように、その再婚相手にＩＤ“Ｃ００Ｂ１２０”が発行され、血縁関係登録／変更部１２ａにおいて、第３世代としてそのＩＤ“Ｃ００Ｂ１２０”を保存することになる。
【００６７】
情報画面提供部１３は、血縁関係データベース１２ｂに保存された情報が上記のように変更された場合、変更された血縁関係に基づいて、上述したものと同様の処理を行って個人ページを生成することになる。
【００６８】
なお、本発明においては、サービス提供者サーバ１０内の処理は上述の専用のハードウェアにより実現されるもの以外に、その機能を実現するためのプログラムをサービス提供者サーバ１０にて読取可能な記録媒体に記録し、この記録媒体に記録されたプログラムをサービス提供者サーバ１０に読み込ませ、実行するものであっても良い。サービス提供者サーバ１０にて読取可能な記録媒体とは、ＩＣカードやメモリカード、あるいは、フロッピーディスク（登録商標）、光磁気ディスク、ＤＶＤ、ＣＤ等の移設可能な記録媒体の他、サービス提供者サーバ１０に内蔵されたＨＤＤ等を指す。この記録媒体に記録されたプログラムは、例えば、制御ブロックにて読み込まれ、制御ブロックの制御によって、上述したものと同様の処理が行われる。
【符号の説明】
【００６９】
１    情報処理装置
２，１２    保存部
３    生成部
１０    サービス提供者サーバ
１２ａ    血縁関係登録／変更部
１２ｂ    血縁関係データベース
１２ｃ    個人ページデータベース
１３    情報画面提供部
１４    アクセス制限部
２０ａ，２０ｂ    パーソナルコンピュータ
３０ａ，３０ｂ    携帯電話機
４０    携帯電話基地局
５０    インターネット
６０    携帯電話網
７０    ゲートウェイサーバ
１０１    サービス提供者
１０２，１０３    契約者
【図１】
2013125395.tif 000003
【図２】
2013125395.tif 000004
【図３】
2013125395.tif 000005
【図４】
2013125395.tif 000006
【図５】
2013125395.tif 000007
【図６】
2013125395.tif 000008
【図７】
2013125395.tif 000009
【図８】
2013125395.tif 000010
【図９】
2013125395.tif 000011
【図１０】
2013125395.tif 000012
【図１１】
2013125395.tif 000013